(57)【要約】【課題】  調整時に遮光板の動きを規制して容易に位置調整を行い得るようにしたマルチディスプレイ装置の輝度調整機構を提供する。【解決手段】  複数のプロジェクタのそれぞれからスクリーンに、周辺部にオーバーラップ領域が形成されるように部分画像を投影して全体画像を表示するマルチディスプレイ装置のオーバーラップ領域の輝度を調整する輝度調整機構は、スクリーンとほぼ平行に配置される遮光板２３と、遮光板２３を固定するベース板２２と、遮光板２３およびベース板２２間に配置され遮光板２３を支持する２つのマグネット２４ａ，２４ｂと、遮光板２３の所定位置に形成した２つの長穴２３ａおよびベース板２２の所定位置に形成した２つの丸穴２２ａ間をそれぞれ締結結合するツマミネジ２５とから成る。【選択図】図６
2007011144.tif 000002
【特許請求の範囲】
【請求項１】
複数の画像投影手段のそれぞれからスクリーンに、周辺部にオーバーラップ領域が形成されるように部分画像を投影して全体画像を表示するマルチディスプレイ装置において前記オーバーラップ領域の輝度を調整する輝度調整機構であって、
前記輝度調整機構は、前記スクリーンとほぼ平行に配置される遮光板と、該遮光板を固定する固定部材と、前記遮光板および前記固定部材間に配置され少なくとも２個所で前記遮光板を支持する磁性体と、前記遮光板の所定位置に形成した２つの長穴および前記固定部材の所定位置に形成した２つの丸穴間をそれぞれ締結結合する締結部材とから成ることを特徴とするマルチディスプレイ装置の輝度調整機構。
【請求項２】
複数の画像投影手段のそれぞれからスクリーンに、周辺部にオーバーラップ領域が形成されるように部分画像を投影して全体画像を表示するマルチディスプレイ装置において前記オーバーラップ領域の輝度を調整する輝度調整機構であって、
前記輝度調整機構は、前記スクリーンとほぼ平行に配置される遮光板と、該遮光板を固定する固定部材と、前記遮光板の第１の所定位置に形成した２つの長穴および前記固定部材の第１の所定位置に形成した２つの丸穴間をそれぞれ締結結合する締結部材と、前記遮光板の第２の所定位置に形成した２つの長穴および前記固定部材の第２の所定位置に形成した２つの丸穴間に配置され前記遮光板を前記固定部材に弾性支持する弾性支持部材とから成ることを特徴とするマルチディスプレイ装置の輝度調整機構。
【請求項３】
前記長穴の長軸方向は、前記オーバーラップ領域のオーバーラップ量を調整する方向であることを特徴とする請求項１または２記載のマルチディスプレイ装置の輝度調整機構。
【発明の詳細な説明】
【技術分野】
【０００１】
本発明は、複数の画像投影手段のそれぞれからスクリーンに、周辺部にオーバーラップ領域が形成されるように部分画像を投影して全体画像を表示するマルチディスプレイ装置において前記オーバーラップ領域の輝度を調整する輝度調整機構に関するものである。
【背景技術】
【０００２】
従来より、複数のプロジェクタ（画像投影手段）のそれぞれから、周辺部にオーバーラップ領域が形成されるように部分画像を投影することにより、１つのスクリーン上に大きな全体画像を表示するマルチディスプレイ装置が提案されている。このようなマルチディスプレイ装置では、プロジェクタ毎に画像表示特性が異なるため、プロジェクタから投影される部分画像の周辺部に形成される、隣接する部分画像とのオーバーラップ領域において輝度が適正になるように、輝度調整機構を用いて調整する必要がある。
【０００３】
マルチディスプレイ装置において部分画像のオーバーラップ領域の輝度を調整する輝度調整機構の従来例としては、部分画像のオーバーラップ領域のオーバーラップ量を調整するためにプロジェクタからスクリーンに至る光路上に遮光板を設ける構成のマルチディスプレイ装置（例えば、特許文献１参照）がある。この従来例は、遮光板の配置および遮光板によるオーバーラップ領域の輝度調整原理については開示しているが、部分画像のオーバーラップ領域の輝度を調整するための遮光板の位置の調整方法については具体的に記載していない。
上記従来例の輝度調整機構は、例えば図９の斜視図およびそのＡ−Ａ断面図である図１０に示すように、筺体５１上に設けられたベース板５２によって遮光板５３を図示しないスクリーンとほぼ平行になるように配置する構成となっている。上記従来例の輝度調整機構を用いてオーバーラップ領域の輝度を調整する際には、遮光板５３の左右２個所の所定位置に形成された２つの長穴５３ａ内のネジ５４の位置を図示上下方向に移動させて遮光板５３が所望の遮光状態になるように位置調整した状態で、遮光板５３を手で押さえながら、遮光板５３の２つの長穴５３ａとベース板５２の所定位置に形成した２つの丸穴５２ａとの間をそれぞれネジ５４によって締結結合することにより、部分画像のオーバーラップ領域の輝度を調整することになる。
【０００４】
【特許文献１】特開２００１−２６８４７６号公報
【発明の開示】
【発明が解決しようとする課題】
【０００５】
上記従来例は、ネジ５４のみによって遮光板５３およびベース板５２間を結合する構成であるため、遮光板５３の位置を調整する際には、遮光板５３を片手で押さえながら、もう一方の手でネジ５４を締結する必要があり、遮光板が動きやすい構造になっているので、遮光板の微妙な位置調整が困難であるとともに位置調整工数が多大になる。
【０００６】
本発明は、調整時に遮光板の動きを規制して容易に位置調整を行い得るようにしたマルチディスプレイ装置の輝度調整機構を提供することを目的とする。
【課題を解決するための手段】
【０００７】
上記目的を達成するため、請求項１に記載の第１発明は、複数の画像投影手段のそれぞれからスクリーンに、周辺部にオーバーラップ領域が形成されるように部分画像を投影して全体画像を表示するマルチディスプレイ装置において前記オーバーラップ領域の輝度を調整する輝度調整機構であって、前記輝度調整機構は、前記スクリーンとほぼ平行に配置される遮光板と、該遮光板を固定する固定部材と、前記遮光板および前記固定部材間に配置され少なくとも２個所で前記遮光板を支持する磁性体と、前記遮光板の所定位置に形成した２つの長穴および前記固定部材の所定位置に形成した２つの丸穴間をそれぞれ締結結合する締結部材とから成ることを特徴とする。
【０００８】
上記目的を達成するため、請求項２に記載の第２発明は、複数の画像投影手段のそれぞれからスクリーンに、周辺部にオーバーラップ領域が形成されるように部分画像を投影して全体画像を表示するマルチディスプレイ装置において前記オーバーラップ領域の輝度を調整する輝度調整機構であって、前記輝度調整機構は、前記スクリーンとほぼ平行に配置される遮光板と、該遮光板を固定する固定部材と、前記遮光板の第１の所定位置に形成した２つの長穴および前記固定部材の第１の所定位置に形成した２つの丸穴間をそれぞれ締結結合する締結部材と、前記遮光板の第２の所定位置に形成した２つの長穴および前記固定部材の第２の所定位置に形成した２つの丸穴間に配置され前記遮光板を前記固定部材に弾性支持する弾性支持部材とから成ることを特徴とする。
【０００９】
請求項３に記載の第３発明は、前記長穴の長軸方向は、前記オーバーラップ領域のオーバーラップ量を調整する方向であることを特徴とする。
【発明の効果】
【００１０】
第１発明によれば、複数の画像投影手段のそれぞれからスクリーンに、周辺部にオーバーラップ領域が形成されるように部分画像を投影して全体画像を表示するマルチディスプレイ装置において前記オーバーラップ領域の輝度を調整する輝度調整機構は、前記スクリーンとほぼ平行に配置される遮光板と、該遮光板を固定する固定部材と、前記遮光板および前記固定部材間に配置され少なくとも２個所で前記遮光板を支持する磁性体と、前記遮光板の所定位置に形成した２つの長穴および前記固定部材の所定位置に形成した２つの丸穴間をそれぞれ締結結合する締結部材とから成るから、遮光板の位置を調整する際には、該遮光板は前記磁性体の磁力によって少なくとも２個所で前記固定部材に支持された状態になるため、遮光板を片手で押さえなくても遮光板は動かない構造になっており、両手を使って締結部材を締結することができるので、調整時に遮光板の動きを規制して容易に位置調整を行い得るようにしたマルチディスプレイ装置の輝度調整機構を提供することができる。
【００１１】
第２発明によれば、複数の画像投影手段のそれぞれからスクリーンに、周辺部にオーバーラップ領域が形成されるように部分画像を投影して全体画像を表示するマルチディスプレイ装置において前記オーバーラップ領域の輝度を調整する輝度調整機構は、前記スクリーンとほぼ平行に配置される遮光板と、該遮光板を固定する固定部材と、前記遮光板の第１の所定位置に形成した２つの長穴および前記固定部材の第１の所定位置に形成した２つの丸穴間をそれぞれ締結結合する締結部材と、前記遮光板の第２の所定位置に形成した２つの長穴および前記固定部材の第２の所定位置に形成した２つの丸穴間に配置され前記遮光板を前記固定部材に弾性支持する弾性支持部材とから成るから、遮光板の位置を調整する際には、該遮光板は前記弾性支持部材の弾性力によって２個所で前記固定部材に弾性支持された状態になるため、遮光板を片手で押さえなくても遮光板は動かない構造になっており、両手を使って締結部材を締結することができるので、調整時に遮光板の動きを規制して容易に位置調整を行い得るようにしたマルチディスプレイ装置の輝度調整機構を提供することができる。
【００１２】
第３発明によれば、前記長穴の長軸方向は、前記オーバーラップ領域のオーバーラップ量を調整する方向であるから、前記長穴内で前記締結部材を移動させて締結位置を決定することにより、前記オーバーラップ領域のオーバーラップ量を所望のオーバーラップ量に調整して、前記オーバーラップ領域を適切な輝度にすることができる。
【発明を実施するための最良の形態】
【００１３】
以下、本発明を実施するための最良の形態を図面に基づき詳細に説明する。
【００１４】
［第１実施形態］
図１は本発明の第１実施形態の輝度調整機構を備えるマルチディスプレイ装置の概略構成を示す斜視図である。本実施形態のマルチディスプレイ装置は、例えば図１に示すように、複数個（図示例では８個）のプロジェクタ（画像投影手段）１〜８を２段×４列の配列となるように配置しており、これらプロジェクタ１〜８の画像投影位置には例えば透過型のスクリーン９が配置されている。このとき、プロジェクタ１〜８のそれぞれからスクリーン９に投影される部分画像１０の投影範囲は、各部分画像１０の周辺部において、隣接するプロジェクタからスクリーン９に投影される部分画像１０の投影範囲とオーバーラップしており、図示のようなオーバーラップ領域１１が形成されるようになっている。
【００１５】
図２は第１実施形態のマルチディスプレイ装置のスクリーン９の横方向において隣接するように配置される３つのプロジェクタであるプロジェクタ１，プロジェクタ２，プロジェクタ３のそれぞれの画像投影範囲１０およびオーバーラップ領域１１を説明するための図である。スクリーン９の横方向においては、プロジェクタ１の画像投影範囲１０は、周辺部（この場合、図示右端部）において、隣接するプロジェクタ２の画像投影範囲１０とオーバーラップしてオーバーラップ領域１１を形成しており、同様に、プロジェクタ２の画像投影範囲１０は、周辺部（この場合、図示右端部）において、隣接するプロジェクタ３の画像投影範囲１０とオーバーラップしてオーバーラップ領域１１を形成している。なお、図１に示すように、スクリーン９の縦方向においても、プロジェクタ１の画像投影範囲１０は、周辺部（この場合、図示下端部）において、隣接するプロジェクタ５の画像投影範囲１０とオーバーラップしてオーバーラップ領域１１を形成している。
【００１６】
図３は第１実施形態のマルチディスプレイ装置において輝度調整機構を構成する遮光板の遮光原理を説明するための平面図である。本実施形態のマルチディスプレイ装置のような周辺部にオーバーラップ領域１１が形成されるように部分画像を投影して全体画像を表示するマルチディスプレイ装置では、遮光を行わない場合には、画像投影範囲１０内におけるオーバーラップ領域１１の輝度が画像投影範囲１０内におけるオーバーラップ領域１１以外の領域の輝度の約２倍となってしまうため、遮光板等を用いてオーバーラップ領域１１の輝度を調整する必要がある。そこで、本実施形態のマルチディスプレイ装置では、図３に示すように、各プロジェクタおよびスクリーン９上のオーバーラップ領域１１間の光路上に、スクリーン９とほぼ平行に配置される遮光板１２等から成る輝度調整機構１３を設けて、各プロジェクタからの光束１４の一部を遮光することによりオーバーラップ領域１１の輝度を調整するようにしている。なお、本実施形態の輝度調整機構１３は、プロジェクタ側で輝度調整を行わずに、色補正や幾何補正を含むキャリブレーションを実施する際に遮光板１２の位置を調整することのみによって、オーバーラップ領域１１の輝度を調整することを前提としている。
【００１７】
図３に示すスクリーン９の左右方向において、プロジェクタ１に対応する遮光板１２は、プロジェクタ２の画像投影範囲１０とのオーバーラップ領域１１に到達する光束１４の通過経路上に位置するように、スクリーン９に向かって左側の遮光部１２Ｌが配置されており、プロジェクタ２に対応する遮光板１２は、プロジェクタ１の画像投影範囲１０とのオーバーラップ領域１１に到達する光束１４の通過経路上に位置するように、スクリーン９に向かって右側の遮光部１２Ｒが配置されるとともに、プロジェクタ３の画像投影範囲１０とのオーバーラップ領域１１に到達する光束１４の通過経路上に位置するように、スクリーン９に向かって左側の遮光部１２Ｌが配置されており、プロジェクタ３に対応する遮光板１２は、プロジェクタ２の画像投影範囲１０とのオーバーラップ領域１１に到達する光束１４の通過経路上に位置するように、スクリーン９に向かって右側の遮光部１２Ｒが配置されている。なお、図３には示していないが、スクリーン９の上下方向において、プロジェクタ１に対応する遮光板１２は、プロジェクタ５の画像投影範囲１０とのオーバーラップ領域１１に到達する光束１４の通過経路上に位置するように、スクリーン９に向かって下側の遮光部１２Ｄが配置されており、プロジェクタ２に対応する遮光板１２は、プロジェクタ６の画像投影範囲１０とのオーバーラップ領域１１に到達する光束１４の通過経路上に位置するように、スクリーン９に向かって下側の遮光部１２Ｄが配置されており、プロジェクタ３に対応する遮光板１２は、プロジェクタ７の画像投影範囲１０とのオーバーラップ領域１１に到達する光束１４の通過経路上に位置するように、スクリーン９に向かって下側の遮光部１２Ｄが配置されている。
【００１８】
上記遮光板１２は、プロジェクタ１〜８のそれぞれとスクリーン９との間の光路上の所定位置に配置されているが、前記所定位置は各プロジェクタにおける非焦点面となっているため、遮光板１２の各遮光部による遮光の効果は、グラディエーションを持ったなだらかな遮光効果となって、各プロジェクタにおける焦点面に配設されたスクリーン９上に現れることになる。
例えば、図３に示すプロジェクタ１の画像投影範囲１０およびプロジェクタ２の画像投影範囲１０においてオーバーラップ領域１１以外の領域における相対的な輝度を１とすると、プロジェクタ１およびプロジェクタ２のオーバーラップ領域１１において、プロジェクタ１の画像投影範囲１０のオーバーラップ領域１１以外の領域に近接する部分では、プロジェクタ１により投影される画像の輝度は１に近いものとなり、プロジェクタ２により投影される画像の輝度は０に近いものとなるため、これらの画像がオーバーラップしてほぼ１の輝度の画像として表示されることになる。
同様に、プロジェクタ１およびプロジェクタ２のオーバーラップ領域１１において、プロジェクタ２の画像投影範囲１０のオーバーラップ領域１１以外の領域に近接する部分では、プロジェクタ１により投影される画像の輝度は０に近いものとなり、プロジェクタ２により投影される画像の輝度は１に近いものとなるため、これらの画像がオーバーラップしてほぼ１の輝度の画像として表示されることになる。
さらに、プロジェクタ１およびプロジェクタ２のオーバーラップ領域１１において、ほぼ中間位置となる部分では、プロジェクタ１により投影される画像の輝度は０．５に近いものとなり、プロジェクタ２により投影される画像の輝度は０．５に近いものとなるため、これらの画像がオーバーラップしてほぼ１の輝度の画像として表示されることになる。
したがって、プロジェクタ１およびプロジェクタ２の画像投影範囲１０のオーバーラップ領域１１では、隣接するプロジェクタから投影された画像同士が滑らかに連結され、かつ、オーバーラップ領域１１の輝度が、隣接するオーバーラップ領域１１以外の領域の輝度とほぼ同様の輝度となるため、輝度の不連続性が解消された滑らかな画像を投影表示することが可能になる。
【００１９】
図４は第１実施形態のマルチディスプレイ装置に用いる遮光板の詳細図である。遮光板１２は、４つの遮光部１２Ｒ，１２Ｌ，１２Ｕ，１２Ｄから成り、遮光部１２Ｒ，１２Ｌ，１２Ｕ，１２Ｄはそれぞれ、スクリーン９に向かう各プロジェクタからの光束１４が図示のような形状である場合に、光束１４の右方、左方、上方、下方を覆うように配置されている。そのため、例えばプロジェクタ１に対応して設置された遮光板１２の遮光部１２Ｄを上下方向に移動させるような位置調整を行うことにより、プロジェクタ１の画像投影範囲１０とプロジェクタ５の画像投影範囲１０とのオーバーラップ領域１１の面積（オーバーラップ量）が増減してオーバーラップ領域１１の輝度が上下することになるので、上記オーバーラップ領域１１が明るすぎる（輝度が高い）場合には、図４の遮光板１２を上方向に移動させて光束１４を遮る遮光部１２Ｄの面積を増加させることによりオーバーラップ領域１１の輝度を低下させることができ、上記オーバーラップ領域１１が暗すぎる（輝度が低い）場合には、図４の遮光板１２を下方向に移動させて光束１４を遮る遮光部１２Ｄの面積を減少させることによりオーバーラップ領域１１の輝度を上昇させることができる。
【００２０】
図５は本発明の第１実施形態のマルチディスプレイ装置における輝度調整機構の構成を示す斜視図であり、図６は図５のＢ−Ｂ断面図である。本実施形態の輝度調整機構は、図５に示すように、筺体２１と、筺体２１上に設けられた遮光板固定部材であるベース板２２と、ベース板２２によってスクリーンとほぼ平行に配置されるように固定される遮光板２３と、ベース板２２の表面（遮光板２３側の面）に例えば図示しない両面接着テープによって貼り付けられた磁性体であるマグネット２４ａ，２４ｂと、遮光板２３の図示の位置に形成した２つの長穴２３ａおよびベース板２２の対応する位置に形成した２つの丸穴２２ａ間をそれぞれ締結結合する締結部材２５とから成る。上記長穴２３ａの長軸方向は、隣接する画像投影範囲１０間のオーバーラップ領域１１のオーバーラップ量を調整する方向（図５の場合、上下方向）に対応させてある。また、上記締結部材２５としては、例えば、ツマミネジ（ロレットビス）を用いるものとするが、ドライバーを使用せずに締結できるネジであれば、ツマミネジ以外のネジを用いてもよい。
【００２１】
なお、図５、図６には、説明の都合上、図４に示す遮光板１２を構成する４つの遮光部１２Ｒ，１２Ｌ，１２Ｕ，１２Ｄ内の１つ（例えば遮光部１２Ｄ）を遮光板２３として示したが、実際には、１つのプロジェクタに対して、図５、図６に示した遮光板２３と同様の構成の遮光板（遮光部１２Ｕ，１２Ｄに対応するものは長穴２３ａの長軸方向が上下方向であり、遮光部１２Ｒ，１２Ｌに対応するものは長穴２３ａの長軸方向が左右方向である）を図４の４つの遮光部に対応するように設けて、それぞれの遮光板を独立して位置調整し得るように構成するものとする。また、図５、図６に示すように、遮光板２３の長穴２３ａおよびベース板２２の丸穴２２ａの位置は、マグネット２４ａ，２４ｂの位置からずれているので、必要に応じて、遮光板２３およびベース板２２間にマグネット２４ａ，２４ｂの厚さに相当するスペーサを挿入した状態で、締結部材２５を締結する。さらに、図５、図６に示した例では、長穴２３ａの近傍（遮光板端部寄りの所定位置）に配置した２個のマグネットを用いたが、代わりに、長穴２３ａの近傍（遮光板中央寄りの所定位置）間を連結するように配置した１個のマグネットを用いてもよい。
【００２２】
本実施形態によれば、遮光板２３の位置を調整する際には、遮光板２３はマグネット２４ａ，２４ｂの磁力によって２個所でベース板２２に支持された状態になり、遮光板２３を片手で押さえなくても遮光板２３は動かない構造になっているので、両手を使ってツマミネジ２５を締結することができるようになり、調整時に遮光板２３の動きが規制されるため、容易に位置調整を行い得るようにしたマルチディスプレイ装置の輝度調整機構を提供することができる。さらに、締結部材２５としてドライバーを使用せずに締結できるツマミネジを用いているので、遮光板の位置調整がやり易くなる相乗効果も得られる。
【００２３】
［第２実施形態］
図７は本発明の第２実施形態のマルチディスプレイ装置における輝度調整機構の構成を示す斜視図であり、図８は図７のＣ−Ｃ断面図である。本実施形態の輝度調整機構は、図７に示すように、筺体２１と、筺体２１上に設けられた遮光板固定部材であるベース板２２と、ベース板２２によってスクリーンとほぼ平行に配置されるように固定される遮光板２３と、遮光板２３の第１の所定位置に形成した２つの長穴２３ａおよびベース版２２の第１の所定位置（長穴２３ａと対応する位置）に形成した２つの丸穴２２ａ間をそれぞれ締結結合する締結部材２５と、遮光板２３の第２の所定位置（長穴２３ａの近傍の遮光板端部寄りの位置）に形成した２つの長穴２３ｂおよびベース部材の第２の所定位置（長穴２３ｂと対応する位置）に形成した２つの丸穴２２ｂ間に配置される弾性支持部材２６とから成り、上記弾性支持部材２６は、遮光板２３上に配置される弾性体２６ａ、支持部材２６ｂおよびネジ２６ｃより成る。上記長穴２３ａの長軸方向は、隣接する画像投影範囲１０間のオーバーラップ領域１１のオーバーラップ量を調整する方向（図７の場合、上下方向）に対応させてある。また、上記締結部材２５としては、例えば、ツマミネジ（ロレットビス）を用いるものとするが、ドライバーを使用せずに締結できるネジであれば、ツマミネジ以外のネジを用いてもよい。また、上記弾性体２６ａとしてはコイルバネを用いるものとするが、他の弾性体を用いてもよい。さらに、上記支持部材２６ｂとしては平ワッシャを用いるものとするが、他の支持部材を用いてもよい。
【００２４】
なお、図７、図８には、説明の都合上、図４に示す遮光板１２を構成する４つの遮光部１２Ｒ，１２Ｌ，１２Ｕ，１２Ｄ内の１つ（例えば遮光部１２Ｄ）を遮光板２３として示したが、実際には、１つのプロジェクタに対して、図７、図８に示した遮光板２３と同様の構成の遮光板（遮光部１２Ｕ，１２Ｄに対応するものは長穴２３ａ，２３ｂの長軸方向が上下方向であり、遮光部１２Ｒ，１２Ｌに対応するものは長穴２３ａ，２３ｂの長軸方向が左右方向である）を図４の４つの遮光部に対応するように設けて、それぞれの遮光板を独立して位置調整し得るように構成するものとする。
【００２５】
本実施形態によれば、遮光板２３の位置を調整する際には、遮光板２３は弾性支持部材２６の弾性力によって２個所でベース板２２に支持された状態になり、遮光板２３を片手で押さえなくても遮光板２３は動かない構造になっているので、両手を使ってツマミネジ２５を締結することができるようになり、調整時に遮光板２３の動きが規制されるため、容易に位置調整を行い得るようにしたマルチディスプレイ装置の輝度調整機構を提供することができる。さらに、締結部材２５としてドライバーを使用せずに締結できるツマミネジを用いているので、遮光板の位置調整がやり易くなる相乗効果も得られる。
【図面の簡単な説明】
【００２６】
【図１】本発明の第１実施形態の輝度調整機構を備えるマルチディスプレイ装置の概略構成を示す斜視図である。
【図２】第１実施形態のマルチディスプレイ装置のスクリーンの横方向において隣接するように配置される３つのプロジェクタであるそれぞれの画像投影範囲およびオーバーラップ領域を説明するための図である。
【図３】第１実施形態のマルチディスプレイ装置において輝度調整機構を構成する遮光板の遮光原理を説明するための平面図である。
【図４】第１実施形態のマルチディスプレイ装置に用いる遮光板の詳細図である。
【図５】本発明の第１実施形態のマルチディスプレイ装置における輝度調整機構の構成を示す斜視図である。
【図６】図５のＢ−Ｂ断面図である。
【図７】本発明の第２実施形態のマルチディスプレイ装置における輝度調整機構の構成を示す斜視図である。
【図８】図７のＣ−Ｃ断面図である。
【図９】従来のマルチディスプレイ装置の輝度調整機構の概略構成を示す斜視図である。
【図１０】図９のＡ−Ａ断面図である。
【符号の説明】
【００２７】
１〜８  プロジェクタ（画像投影手段）
９  スクリーン
１０  画像投影範囲
１１  オーバーラップ領域
１２  遮光板
１２Ｒ，１２Ｌ，１２Ｕ，１２Ｄ  遮光部
１３  遮光機構
１４  光束
２１  筺体
２２  ベース板（遮光板固定部材）
２２ａ  丸穴
２３  遮光板
２３ａ，２３ｂ  長穴  
２４ａ，２４ｂ  マグネット（磁性体）
２５  ツマミネジ（締結部材）
２６  弾性支持部材
２６ａ  コイルバネ（弾性体）
２６ｂ  平ワッシャ（支持部材）
２６ｃ  ネジ
【図１】
2007011144.tif 000003
【図２】
2007011144.tif 000004
【図３】
2007011144.tif 000005
【図４】
2007011144.tif 000006
【図５】
2007011144.tif 000007
【図６】
2007011144.tif 000008
【図７】
2007011144.tif 000009
【図８】
2007011144.tif 000010
【図９】
2007011144.tif 000011
【図１０】
2007011144.tif 000012